(57)【特許請求の範囲】
【請求項１】
逆錘台型で、結束線が設けられたスペーサーブロック本体の表面に、鉄筋を載置可能なＵ字溝と、当該溝を挟んで少なくとも４つの孔を形成し、当該孔に鉄筋保持部材を着脱可能に設置した鉄筋コンクリート用スペーサーブロックであって、前記鉄筋保持部材は隣り合う足同士を互いに結合する上辺を有する４つ足に形成され、その一つの対応する上辺同士が中央部分で窪んでいるとともに、他の対応する上辺同士は直線に形成されていることを特徴とする二段の鉄筋組みに使用される鉄筋コンクリート用スペーサーブロック。
【請求項２】
スペーサーブロック本体の表面に形成された前記孔が、４つ足の鉄筋保持部材を取り付け可能な４つの孔と、更に２本足の鉄筋保持部材を取り付け可能な２つの孔からなる６個の孔で構成されていることを特徴とする請求項１に記載の鉄筋コンクリート用スペーサーブロック。
【請求項３】
前記結束線がスペーサーブロック本体の内部に埋め込まれた結束線基板に結合されていることを特徴とすることを特徴とする請求項１または請求項２に記載の鉄筋コンクリート用スペーサーブロック。
【発明の詳細な説明】
【技術分野】
【０００１】
本発明は、鉄筋コンクリート打設用スペーサーブロックに関し、更に詳細には、床スラブ等の鉄筋コンクリート構造物を形成するために型枠内にコンクリートを打設するに際し、当該型枠と型枠内に配筋された鉄筋網との間に所定の間隔を確保することのできる鉄筋コンクリート打設用スペーサーブロックに関する。
【背景技術】
【０００２】
鉄筋コンクリート造の構造物を構築する際、例えば床スラブを形成する場合は、多数の鉄筋を縦横に組み付け、結束して鉄筋組みとするとともに、これら鉄筋組みの下方に、当該鉄筋組みと所定間隔を隔てて型枠を配設し、コンクリートを打設することが行われている。
【０００３】
かなり以前では、前記鉄筋組みと型枠との間の間隔の確保は、単純な直方体または立方体状のスペーサーブロックを型枠上に載置し、これらスペーサーブロックの上に鉄筋組みを載置することにより行なわれていた。
【０００４】
しかしながら、前記方法では、スペーサーブロックは、型枠と鉄筋で挾持されているだけであるので、コンクリートを打設する際のコンクリートの流れによって流され、鉄筋組みから離間してスペーサーとしての機能を果たさなくなる場合があった。
【０００５】
このような問題を解決するため、コンクリートブロック中に、針金等の結束線を埋め込み、スペーサーを設置後、この結束線で鉄筋と結束して鉄筋組みとスペーサーの離間を防ぐ技術が報告されている（特許文献１）。
【０００６】
しかし、この技術は単に針金などの結束線がコンクリート中に埋め込まれているだけであり、コンクリートの固まり具合によっては、コンクリート中から抜け落ちる可能性があるほか、鉄筋とスペーサーブロックの結合が、針金などの弱い結束線でおこなわれるため、結束線が切れて鉄筋組みがスペーサーブロックから外れることがあるという問題があった。更に、上記スペーサーブロックでは、床スラブ内に鉄筋組みを二段に配設する場合には、全く対応できなかった。
【先行技術文献】
【特許文献】
【０００７】
【特許文献１】実用新案第３００３６７５号
【発明の概要】
【発明が解決しようとする課題】
【０００８】
従って本発明は、鉄筋組みがスペーサーブロックから外れにくく、かつ、床スラブ内に鉄筋を二段に配設することも可能な鉄筋コンクリート打設用スペーサーブロックを提供するものである。
【課題を解決するための手段】
【０００９】
本発明者は、鉄筋組みを安定に保持することが可能であり、しかも鉄筋組みを二段に配設する場合でも問題のないスペーサーブロックについて、鋭意研究を行った結果、スペーサーブロックの表面に、鉄筋を保持するためのＵ字溝を設定し、ここに設置した鉄筋と、これと交差する鉄筋をスペーサーブロック内部から伸びる結束線で結束すれば、鉄筋はスペーサーブロックから極めて外れにくくなることを知った。更に、このスペーサーブロックに複数の孔を穿孔し、この孔に鉄筋保持部材を着脱可能に取り付ければ、鉄筋を二段に配設することも可能となることを見出し、本発明を完成した。
【００１０】
すなわち本発明は、逆錘台型で、結束線が設けられたスペーサーブロック本体の表面に、鉄筋を載置可能なＵ字溝と、当該溝を挟んで複数の孔が形成され、当該孔に鉄筋保持部材を着脱可能に設置したことを特徴とする鉄筋コンクリート打設用スペーサーブロックである。
【発明の効果】
【００１１】
本発明の鉄筋コンリート打設用スペーサーブロックは、鉄筋をＵ字溝と結束線により確実に固定し、鉄筋組みを形成するものであるため、設置後コンクリートを流し込む間に鉄筋組みがスペーサーブロックから外れにくく、鉄筋組みの正しい配設が保障できるものである。
【００１２】
また、鉄筋保持部材がスペーサーブロックに着脱可能な状態で取り付けられるので、まず、鉄筋保持部材を外した状態で、下側の鉄筋組みを配設し、次いでスペーサーブロックに鉄筋保持部材を取り付け、その鉄筋部材上で上側の鉄筋組みを配設することで、鉄筋をコンクリート中に二段に配設することが可能となる。
【図面の簡単な説明】
【００１３】
【図１】本発明の一実施態様であるコンクリート打設用スペーサーブロックの斜視図である。
【図２】図１のＡ−Ａ’の断面を示す図面である。
【図３】スペーサーブロック本体中に埋め込まれる結束線４が結合された結束線基板７の斜視図である。
【図４】鉄筋を組上げ、コンクリートを打設する寸前の状況を示す図面である。
【図５】本発明の別の実施態様であるコンクリート打設用スペーサーブロックの斜視図である。
【図６】図５の実施態様において、鉄筋を組上げた状況を示す斜視図である。
【発明を実施するための形態】
【００１４】
以下、図面をもって本発明のいくつかの実施態様を挙げ、本発明を更に詳しく説明する。
【００１５】
図１は、本発明の一実施態様を示す図面であり、図２はそのＡ−Ａ’の断面図である。図中、１は鉄筋コンクリート打設用スペーサーブロック、２はスペーサーブロック本体、３はＵ字溝、４は結束線、５は鉄筋保持部材、６は孔、７は結束線基板であり、Ｕはスペーサーブロック本体表面、Ｌはスペーサーブロック本体底面である。
【００１６】
図１に示す態様のスペーサーブロック１は、その表面Ｕ上に、直線のＵ字溝３が形成された逆円錐台型のスペーサーブロック本体２と、これに着脱可能に設置された鉄筋保持部材５と、スペーサーブロック２中から伸びる結束線４を含むものである。
【００１７】
このスペーサーブロック本体２は、一般にコンクリートで形成されるものであり、施工後にあまり目立たなくするためと、コンクリート固化後に脱落するようなことを防止するため、表面Ｕの方が底面Ｌより面積が大きいことが好ましい。しかし、底面Ｌをあまり小さくしすぎると、スペーサーブロックを設置した際に転倒しやすくなるため、上面の面積に対し、その７０から２５％程度の面積とすることが好ましい。また、この実施態様では、スペーサーブロック本体２の形状は逆円錐台形であるが、これに限らず、逆四角錐台や逆６角錐台形等の逆多角錐形のものであっても良いし、場合によっては円柱ないし多角柱型であっても良い。
【００１８】
このスペーサーブロック本体２中には、図３に示すような、結束線４が結合された結束線基板７が埋め込まれており、結束線４は、Ｕ字溝３の中央付近からその一部が露出している。この結束基板７としては、結束線４が容易にスペーサーブロック本体から抜け落ちないように金属製の板であることが望ましく、二枚の長方形の板を十字に結合したものであることがより好ましい。また結束線４としては、価格の面では針金が好ましいが、それ以外の金属、例えば銅やアルミニウムの線や、アラミド樹脂のような強力なポリマー繊維であっても良い。
【００１９】
この結束基板７は、結束線４が２つの孔６が形成する線とも、またＵ字溝の線とも平行にならないように埋め込むことが好ましく、より好ましくは、結束線４が結合された部材の軸が、２つの孔６が形成する線およびＵ字溝の線とそれぞれほぼ４５゜となるように埋め込まれることが好ましい。こうすることで、Ｕ字溝３に置いた鉄筋上に、これと９０゜で交差する鉄筋を容易に結合することが可能となる。
【００２０】
また、鉄筋保持部材５は、中央部が窪んだ略Ｍ字型の形状のもので、この窪んだ部分において鉄筋を保持する機能を有する。そして、このものはスペーサーブロック本体２の表面Ｕにあけられた孔６により、着脱可能に取り付けられる。この孔６は、単にドリル等で表面Ｕ上にあけたものであっても、スペーサーブロック本体２を成型する際に、鉄筋保持部材５の足にプラスチックチューブを取り付けた状態で、このプラスチックチューブ被覆部分と共にスペーサーブロック本体２を固化、成型させ、その後鉄筋保持部材５を抜き出すことにより形成したものであっても良い。
【００２１】
以上説明した上記態様のスペーサーブロック１の使用方法について、図４を参照しながら説明する。まず、床スラブ等を形成するための型枠１０内の所定箇所に、鉄筋保持部材５を外した状態でスペーサーブロック１を配置する。次いで、最初の鉄筋９ａをスペーサーブロック表面Ｕの軸方向に合わせて載せてゆく。更に、最初の鉄筋９ａと直交するように、第２の鉄筋９ｂをスペーサーブロック１の上に載せ、結束線４により最初の鉄筋９ａに縛り付ける。これを配置した全てのスペーサーブロック１について行うことで、型枠１０内に一段の鉄筋組みが形成、配設される。
【００２２】
鉄筋組みの配設が一段の場合は、これで終了するが、鉄筋組みを２段に配設する場合は、更に鉄筋保持部材５の足をスペーサーブロックの表面の孔６に差し込み、この鉄筋保持部材５の窪んだ部分（略Ｍ字中央部分）に、２段目の鉄筋９ｃを、鉄筋保持部材５と直交する状態で配置する。次いでこの鉄筋上に更に別な鉄筋９ｄを、鉄筋保持部材５と平行に配置し、全てのこの交点を別の針金等の他の結束線８で縛りつけ、二段目の鉄筋組みを形成、配設する。こうすることにより、所定の間隔（スペーサーブロック本体２表面Ｕと鉄筋保持部材５の窪んだ部分の間隔）に維持され、かつ型枠１０からは、スペーサーブロック本体２の高さが維持された状態で、二段の鉄筋組みを配設することが可能になる。
【００２３】
その後は、スペーサーブロック１を移動させないように注意しながらコンクリートを型枠１０内に、コンクリート打設目標１１まで流し込み、これを固化して床スラブ等を形成することができる。
【００２４】
次に、本発明の別の実施態様を図５により説明する。
【００２５】
図５に示す実施態様は、スペーサーブロック本体２の形状が、逆四角錐台型であり、また、鉄筋保持部５は４つ足のもので、一つの対応する上辺同士は、側面から見た場合、略Ｍ字型となっており、他の対応する上辺同士は、側面から見た場合直線となっているものである。
【００２６】
この実施態様でも、前出の実施態様と同様、スペーサーブロック本体２の表面Ｕには、Ｕ字溝３が設けられており、更に、スペーサーブロック本体２内に結束線４が結合された結束線基板７が埋め込まれている。
【００２７】
上記のように、図５の実施態様では４つ足の鉄筋保持部５が設けられているため、これを着脱する孔６は、少なくとも４つ必要で、前記Ｕ字溝３を挟む形で、溝の軸方向と平行に設けられている。なお、本実施態様では、４つの孔６ａの他、２つの孔６ｂが存在し、合計６個となっているが、これは必要に応じて、４つ足の鉄筋保持部５に代えて図１で示す２本足の鉄筋保持部５を着脱可能に取り付けるためのものである。
【００２８】
上記態様のコンクリート打設用スペーサーブロック１の使用方法は、先に説明した実施態様のスペーサーブロック１とほぼ同様に使用できるが、鉄筋保持部５として４つ足のものを用いるため、二段目の鉄筋組みをより安定に保持することができ、鉄筋組みの位置をずらすことなく、確実にコンクリートを型枠内へ流し込むことができるものである。
【００２９】
すなわち、図６に示すように、型枠１０内の所定箇所に、鉄筋保持部材５を外した状態でスペーサーブロック１を配置し、最初の鉄筋（一段目下側の鉄筋）９ａをスペーサーブロック表面ＵのＵ字溝３の軸方向に合わせて載せてゆく。そして、この鉄筋９ａと直交するように、第２の鉄筋９ｂ（一段目上側の鉄筋）をスペーサーブロック１の上に載せ、結束線４により最初の鉄筋９ａに縛り付ける。これを配置した全てのスペーサーブロック１について行うことで、型枠１０内に一段の鉄筋組みが形成、配設される。
【００３０】
次いで、鉄筋保持部材５の足の全てをスペーサーブロックの表面の孔６ａに差し込み、この鉄筋保持部材５の窪んだ部分（略Ｍ字中央部分）に、２段目の下側鉄筋９ｃを、Ｕ字溝３と平行な方向に配置する。更にこの鉄筋９ｃ上に、２段目の上側鉄筋９ｄを、Ｕ字溝３の方向と直交する方向に配置し、全てのこの交点を別の針金等の他の結束線８で縛りつけ、二段目の鉄筋組みを形成、配設する。こうすることにより、所定の間隔（スペーサーブロック本体２表面Ｕと鉄筋保持部材５の窪んだ部分の間隔）に維持され、かつ型枠１０からは、スペーサーブロック本体２の高さが維持された状態で、二段の鉄筋組みを配設することが可能になり、更に上記一段目および２段目の鉄筋組みの交点は、スペーサーブロック１の中心にくるため、左右の動きに対しても安定となる。
【産業上の利用可能性】
【００３１】
本発明のコンクリート打設用スペーサーブロックは、そのスペーサーブロック本体表面に設けたＵ字溝と、スペーサーブロック内より伸びる結束線４により、一段目の鉄筋組みを確実に保持すると共に、更にスペーサーブロック本体表面に孔に鉄筋保持部を取り付け、その上部で二段目の鉄筋組みを保持することにより、型枠から所定の間隔をもって鉄筋組みを保持することができ、強度の高い床スラブ等の鉄筋コンクリート構造物を得ることができる。
【００３２】
従って本発明は、建設業界において有利に利用できるものである。
【符号の説明】
【００３３】
１  …  …  鉄筋コンクリート打設用スペーサーブロック
２  …  …  スペーサーブロック本体
３  …  …  Ｕ字溝
４  …  …  結束線
５  …  …  鉄筋保持部材
６  …  …  孔
７  …  …  結束線基板
８  …  …  他の結束線
９  …  …  鉄筋
９ａ  …  …  一段目下側鉄筋
９ｂ  …  …  一段目上側鉄筋
９ｃ  …  …  二段目下側鉄筋
９ｄ  …  …  二段目上側鉄筋
１０  …  …  型枠
１１  …  …  コンクリート打設目標
Ｕ  …  …  スペーサーブロック表面
Ｌ  …  …  スペーサーブロック底面
【要約】
【課題】  鉄筋組みがスペーサーブロックから外れにくく、かつ、床スラブ内に鉄筋を二段に配設することも可能な鉄筋コンクリート用スペーサーブロックを提供すること。
【解決手段】  逆錘台型で、結束線が設けられたスペーサーブロック本体の表面に、鉄筋を載置可能なＵ字溝と、当該溝を挟んで複数の孔を形成し、当該孔に鉄筋保持部材を着脱可能に設置したことを特徴とする鉄筋コンクリート用スペーサーブロック。
【選択図】  図１【図１】
0004746143.tif 000002
【図２】
0004746143.tif 000003
【図３】
0004746143.tif 000004
【図４】
0004746143.tif 000005
【図５】
0004746143.tif 000006
【図６】
0004746143.tif 000007